(57)【特許請求の範囲】
【請求項１】
シェルフのバックボードの裏面側に搭載した装置側同軸コネクタと、同軸ケーブルの末端に装着され、該装置側同軸コネクタにプラグインするケーブル側同軸コネクタとを備え、該装置側同軸コネクタの外部導体は該バックボードに形成された導通パターンを介して該シェルフに接続されたものであって、
該ケーブル側同軸コネクタは、該装置側同軸コネクタに嵌合する挿着角度により、該ケーブル側同軸コネクタの外部導体と該装置側同軸コネクタの外部導体とが接続・又は断となるものであることを特徴とする同軸コネクタのフレームアース切替構造。
【請求項２】
シェルフに収容したプリント配線板の前側縁近傍に搭載された装置側同軸コネクタと、同軸ケーブルの末端に装着され、該装置側同軸コネクタにプラグインするケーブル側同軸コネクタとを備え、該装置側同軸コネクタの外部導体は、該プリント配線板の導通パターン, プリント配線板コネクタのピン, バックボードコネクタの接触子を介して該シェルフのバックボードに形成されシェルフに接続された導通パターンに接続されたものであって、
該ケーブル側同軸コネクタは、該装置側同軸コネクタに嵌合する挿着角度により、該ケーブル側同軸コネクタの外部導体と該装置側同軸コネクタの外部導体とが接続・又は断となるものであることを特徴とする同軸コネクタのフレームアース切替構造。
【発明の詳細な説明】
【０００１】
【産業上の利用分野】
本発明は、電子装置間を同軸ケーブルを介して接続するシステムの同軸コネクタのフレームアース切替構造に関する。
【０００２】
電子装置に同軸コネクタを搭載し、その装置側同軸コネクタにケーブル側同軸コネクタをプラグインして、電子装置間を同軸ケーブルで接続し信号を授受することが多い。
【０００３】
このようなシステムでは、外部ノイズの侵入防止のことは勿論のこと、信号の電位レベル即ち同軸ケーブルの外部導体の電位レベルを送信側と受信側で合わせることが必要である。
【０００４】
したがって、送信側か受信側の何れか一方の電子装置に搭載した装置側同軸コネクタの外部導体を、フレームアースに接続することが要求される。
【０００５】
【従来の技術】
図７に上述の電子装置の構成を示す。図７において100 は、架20にプリント配線板10を搭載した電子装置である。
【０００６】
110 は、同軸ケーブル１を介して電子装置100 に接続された端末器等の電子装置である。
詳述する電子装置100 は、前面側が開口し後面にバックボード15を有する箱形のシェルフ11を、架20に多段に搭載し、シェルフ11に前面開口からプリント配線板10を挿入し並列に装着したものである。プリント配線板10に搭載したプリント板コネクタ12がバックボードコネクタ16にプラグインされ、プリント配線板10とバックボード15とは電気的に接続している。
【０００７】
また、バックボード15の裏面側に装置側同軸コネクタ５を実装し、装置側同軸コネクタ５の中心導体をバックボード15の信号線パターンに接続している。
なお、装置側同軸コネクタ５の中心導体をめす型にして、バックボードコネクタ16のピンに嵌合し、バックボードコネクタ16のピンと装置側同軸コネクタ５の中心導体を直接接続するように、装置側同軸コネクタ５をバックボード15に搭載したものもある。
【０００８】
一方、他の電子装置110 にも装置側同軸コネクタ５を実装している。
１は、末端のそれぞれにケーブル側同軸コネクタ２を装着した同軸ケーブルである。同軸ケーブル１の一方のケーブル側同軸コネクタ２を、電子装置100 のバックボード15に実装した装置側同軸コネクタ５にプラグインし、他方のケーブル側同軸コネクタ２を他の電子装置110 の装置側同軸コネクタ５にプラグインして双方の電子装置を同軸ケーブル１を介して接続している。
【０００９】
従来は図８に図示したように、プリント配線板10上にオン・オフ切替手段800 を設けている。
従来のオン・オフ切替手段800 は、プリント配線板10に垂設した一対の端子802,803 と、この端子802,803 間を挿抜自在に架橋する短絡板810 とからなる。
【００１０】
端子802,803 は、平面視形状が角形のランドを有するスルーホールにはんだ付け等されて、プリント配線板10に垂設されている。
短絡板810 は一対の孔を有し、その孔を対応する端子802,803 に嵌合し、端子802,803 の先端のねじ部にナットを螺着することで、短絡板810 の裏面がそれぞれの端子802,803 のランドに密着するものである。
【００１１】
一方の端子802 は、プリント配線板10のアースパターン801 −プリント板コネクタ12のピン−バックボードコネクタ16のピン−バックボード15の外部導体導通パターン21を経て、装置側同軸コネクタ５の外部導体に接続している。
【００１２】
他方の端子803 は、プリント配線板10のフレームアース導通パターン804 −プリント板コネクタ12のピン−バックボードコネクタ16のフレームアース導通ピン26−バックボード15のフレームアース導通パターン22を経て、シェルフ11に接続している。
【００１３】
したがって短絡板810 を取り付けると、装置側同軸コネクタ５の外部導体とシェルフ11とが導通状態になるので、装置側同軸コネクタ５がフレームアースに接続される。一方短絡板810 を取り外すと、装置側同軸コネクタ５の外部導体とフレームアースとはオフ状態になる。
【００１４】
【発明が解決しようとする課題】
ところで従来はオン・オフ切替手段をプリント配線板上に設けてあるので、同軸コネクタとフレームアースとを接続するオン・オフ切替手段の設定がどうなっているかを確認するには、いちいちプリント配線板をシェルフから抜去しなければならず、確認作業が煩わしいという問題点があった。
【００１５】
また、プリント配線板上にオン・オフ切替手段を設けると、部品搭載スペースが減少することになり、それだけプリント配線板が大形になるという問題点があった。
【００１６】
本発明はこのような点に鑑みて創作されたもので、同軸コネクタのフレームアース切替作業が容易で、且つ電子装置に搭載したプリント配線板の部品搭載スペースが縮減されることがない切替構造を提供することを目的としている。
【００１７】
【課題を解決するための手段】
上記の目的を達成するために本発明は、図１に例示したように、シェルフ11のバックボード15の裏面側に搭載した装置側同軸コネクタ５と、同軸ケーブル１の末端に装着され装置側同軸コネクタ５にプラグインするケーブル側同軸コネクタ２と、バックボード15に形成され一端がシェルフ11に接続されたフレームアース導通パターン22と、バックボード15に形成され一端が装置側同軸コネクタ５の外部導体に接続された外部導体導通パターン21とを備える。
【００１８】
さらに、フレームアース導通パターン22と外部導体導通パターン21とを接続・開放自在に切替えるバックボード15の裏面側に設けたオン・オフ切替手段30とを備えた構成とする。
【００１９】
図２に例示したように、シェルフ11のバックボード15の裏面側に搭載した装置側同軸コネクタ５と、同軸ケーブル１の末端に装着され装置側同軸コネクタ５にプラグインするケーブル側同軸コネクタ２と、バックボード15に形成され一端がシェルフ11に接続されたフレームアース導通パターン22と、一端が装置側同軸コネクタ５の外部導体に接続された導線42とを備える。
【００２０】
さらに、フレームアース導通パターン22と導線42とを接続・開放自在に切替えるバックボード15の裏面側に設けた、オン・オフ切替手段40とを備えた構成とする。
【００２１】
図３に例示したように、シェルフ11のバックボード15の裏面側に搭載した装置側同軸コネクタ５と、同軸ケーブル１の末端に装着され装置側同軸コネクタ５にプラグインするケーブル側同軸コネクタ２と、一端が装置側同軸コネクタ５の外部導体に接続された導線51とを備える。
【００２２】
さらに、シェルフ11を搭載する架20と導線51間、又は一端が架20に接続された導線と外部導体に接続された導線間を、接続・開放自在に切替えるオン・オフ切替手段50とを備えた構成とする。
【００２３】
図４に例示したように、シェルフ11に収容したプリント配線板10の前側縁近傍に搭載した装置側同軸コネクタ５と、同軸ケーブル１の末端に装着され装置側同軸コネクタ５にプラグインするケーブル側同軸コネクタ２と、プリント配線板10の外部導体導通パターン91, プリント板コネクタ12のピン, バックボードコネクタ16の接触子を介して装置側同軸コネクタ５の外部導体に接続する、シェルフ11のバックボード15に形成された外部導体導通パターン21とを備える。
【００２４】
バックボード15に形成され一端がシェルフ11に接続されたフレームアース導通パターン22を備える。
さらに、フレームアース導通パターン22と外部導体導通パターン21とを接続・開放自在に切替えるバックボード15の裏面側に設けたオン・オフ切替手段30とを、備えた構成とする。
【００２５】
図５に例示したように、シェルフ11に収容したプリント配線板10の前側縁近傍に搭載された装置側同軸コネクタ５と、同軸ケーブル１の末端に装着され装置側同軸コネクタ５にプラグインするケーブル側同軸コネクタ２とを備える。
【００２６】
さらに、プリント配線板10の外部導体導通パターン91, プリント板コネクタ12のピン, バックボードコネクタ16の接触子を介して装置側同軸コネクタ５の外部導体に接続するように、シェルフ11のバックボード15に形成された外部導体導通パターン21を備える。
【００２７】
さらに、シェルフ11を搭載する架20と外部導体導通パターン21とをシェルフ11の後部で接続・開放自在に切替える、オン・オフ切替手段60とを備えた構成とする。
【００２８】
或いはまた、図６に図示したように、シェルフのバックボードの裏面側に搭載した装置側同軸コネクタと、同軸ケーブルの末端に装着され、装置側同軸コネクタにプラグインするケーブル側同軸コネクタとを備え、装置側同軸コネクタの外部導体は、バックボードに形成されたフレームアース導通パターンを介してシェルフに接続されたものとする。
【００２９】
ケーブル側同軸コネクタは、装置側同軸コネクタに嵌合する挿着角度により、外部導体と装置側同軸コネクタの外部導体とが接続・又は断となる構成とする。或いはさらにまた、シェルフに収容したプリント配線板の前側縁近傍に搭載された装置側同軸コネクタと、同軸ケーブルの末端に装着され装置側同軸コネクタにプラグインするケーブル側同軸コネクタとを備え、装置側同軸コネクタの外部導体は、プリント配線板の外部導体導通パターン, プリント板コネクタのピン, バックボードコネクタの接触子を介してシェルフのバックボードに形成された外部導体導通パターンに接続されたものとし、ケーブル側同軸コネクタは、装置側同軸コネクタに嵌合する挿着角度により、外部導体と装置側同軸コネクタの外部導体とが接続・又は断となるものとする。
【００３２】
【作用】
装置側同軸コネクタに嵌合するケーブル側同軸コネクタの挿着角度により、ケーブル側同軸コネクタの外部導体と装置側同軸コネクタの外部導体とが接続・又は断となる本発明によれば、プリント配線板をシェルフから抜去することなく、ケーブル側同軸コネクタの挿着角度のみにより、同軸コネクタの外部導体とフレームアースとを、接続又は開放することができるとともに、現時点の状態が接続状態か、開放状態かを目視で確認できる。
【００３３】
また、オン・オフ切替手段はプリント配線板に搭載されていないので、プリント配線板の部品搭載スペースが縮減されることがない。
【００３４】
【実施例】
以下図を参照しながら、本発明を具体的に説明する。なお、全図を通じて同一符号は同一対象物を示す。
【００３５】
図１は本発明の第１の実施例の図、図２は第２の実施例の図、図３は第３の実施例の図、図４は第４の実施例の図である。
図５は、第５の実施例の図であり、図６は第６の実施例の断面図で、(A) はオン状態を示す図、(B) はオフ状態を示す図である。
【００３６】
図１に図示したように、同軸ケーブル１を介して相手の電子装置（図示省略）に接続する電子装置は、前面側が開口し後面にバックボード15を有する箱形のシェルフ11を、架20に多段に搭載したものである。
【００３７】
シェルフ11の前面開口からプリント配線板10を挿入し、プリント板コネクタ12をバックボードコネクタ16にプラグインして、複数のプリント配線板10をシェルフ11に並列に搭載している。
【００３８】
また、バックボード15の裏面側に装置側同軸コネクタ５を実装し、装置側同軸コネクタ５の中心導体5Aをバックボード15の信号線パターンに接続している。
或いは、装置側同軸コネクタ５の中心導体をめす型にして、バックボードコネクタ16のピンに嵌合し、バックボードコネクタ16のピンと装置側同軸コネクタ５の中心導体を直接接続したものもある。
【００３９】
同軸ケーブル１の末端に装着したケーブル側同軸コネクタ２を、バックボード15に実装した装置側同軸コネクタ５にプラグインし、同軸ケーブル１の他方の末端に装着したケーブル側同軸コネクタを他方の電子装置（図示省略）の装置側同軸コネクタにプラグインして双方の電子装置を同軸ケーブル１を介して接続している。
【００４０】
バックボード15の裏面に、双方の端部が近接して対向するように、外部導体導通パターン21とフレームアース導通パターン22とを設けている。
外部導体導通パターン21の他方の端部は装置側同軸コネクタ５の外部導体に、はんだ付け等されて接続している。
【００４１】
一方、フレームアース導通パターン22はスルーホールを介してバックボード15の内面側に引き出され、バックボード15の外周部に延伸して、バックボード15の内面側の外周部に設けた枠形アースパターに接続している。
【００４２】
この枠形アースパターンはシェルフ11の後部縁枠に密接している。したがって、フレームアース導通パターン22は枠形アースパターン，シェルフ11を経て架20に電気的に接続している。
【００４３】
フレームアース導通パターン22と外部導体導通パターン21とを接続・開放自在に切替えるように、バックボード15の裏面側にオン・オフ切替手段30を設けている。
【００４４】
以下オン・オフ切替手段30について詳述する。
外部導体導通パターン21の端末にスルーホールを設け、このスルーホールに先端がバックボード15の裏面側に突出するように端子31を挿入し、はんだ付けしている。
【００４５】
一方、フレームアース導通パターン22の端末にスルーホールを設け、このスルーホールに先端がバックボード15の裏面側に突出するように他の端子32を挿入し、はんだ付けしている。
【００４６】
それぞれのスルーホールは、平面視形状が角形のランドをバックボード15の裏面側に有する。
この端子31,32 間を架橋するようにして、ランド間を接続する短絡板35は、銅合金の薄板で、それぞれの端子31,32 が嵌挿する一対の孔を有する。
【００４７】
短絡板35の孔に対応する端子31,32 を嵌挿し、短絡板35の裏面を外部導体導通パターン21のランドとフレームアース導通パターン22のランドに密着させ、端子31,32 の先端のねじ部にナットを螺着して、外部導体導通パターン21とフレームアース導通パターン22とを接続するようにしている。
【００４８】
なお、相手側の電子装置に搭載した装置側同軸コネクタの外部導体がフレームアースに接続している場合は、短絡板35を取り付けないで、オン・オフ切替手段30は開放しておくものである。
【００４９】
なお、バックボード15の裏面側に設けるオン・オフ切替手段30は、図示したものとは異なり、バックボード15に搭載したスライドスイッチ, ロータリスイッチ或いはトグルスイッチであっても同様の効果を有する。
【００５０】
図２において、シェルフ11のバックボード15の裏面側に搭載した装置側同軸コネクタ５に、ケーブル側同軸コネクタ２をプラグインして同軸ケーブル１を接続している。
【００５１】
この装置側同軸コネクタ５の外部導体に、一端をはんだ付け等して被覆した導線42を接続している。
オン・オフ切替手段40は、この導線42とフレームアース導通パターン22とを接続・開放自在に切替えるものである。
【００５２】
以下オン・オフ切替手段40について詳述する。
43は、一方の端部が花弁状に開口した、弾性ある銅系金属よりなるスリーブであって、スリーブ43の他方の端末は、導線42の端末にはんだ付け等して接続されている。
【００５３】
一方、フレームアース導通パターン22の端末にスルーホールを設け、このスルーホールに先端がバックボード15の裏面側に突出するように端子41を挿入し、はんだ付けしている。
【００５４】
このようなオン・オフ切替手段40のスリーブ43を、バックボード15に垂設した端子41に挿着すると、装置側同軸コネクタ５の外部導体がフレームアース導通パターン22に接続する。
【００５５】
図３に示すオン・オフ切替手段50は、シェルフ11のバックボード15の裏面側に搭載した装置側同軸コネクタ５の外部導体とシェルフ11を搭載する架20間を、接続・開放自在に切替えるものである。
【００５６】
詳述すると、装置側同軸コネクタ５の外部導体に一端をはんだ付け等して被覆した導線51を接続している。この導線51の端末に圧着端子52を装着している。
架20にねじ孔54を設け、圧着端子52の孔にねじ53の頸部を差込みねじ孔54に螺着することで、装置側同軸コネクタ５の外部導体を導線51を介して架20に接続している。
【００５７】
なお、図示例とは異なり、装置側同軸コネクタ５に接続した導線の端末にコネクタを装着し、架20に導線を接続しその導線の端末に相手側のコネクタを装着する。そして双方のコネクタを挿着するようなオン・オフ切替手段としても良い。
【００５８】
図４に、装置側同軸コネクタ５をプリント配線板10の前側縁近傍に搭載した実施例を示す。
装置側同軸コネクタ５はプリント配線板10に搭載した金属材よりなるコネクタホルダ９上に保持されている。装置側同軸コネクタ５の外部導体は、コネクタホルダ９を介してプリント配線板10に形成した外部導体導通パターン91に接続されている。
【００５９】
外部導体導通パターン91は、プリント板コネクタ12のピン，バックボードコネクタ16の接触子を介して、バックボード15の裏面側に設けた外部導体導通パターン21に接続している。
【００６０】
一方、バックボード15の裏面側にシェルフ11につながるフレームアース導通パターン22を設けている。
フレームアース導通パターン22と外部導体導通パターン21とを接続・開放自在に切替えるように、バックボード15の裏面側にオン・オフ切替手段30を設けている。
【００６１】
オン・オフ切替手段30は図１に図示したものと同構造であって、外部導体導通パターン21の端末にスルーホールを設け、このスルーホールに先端がバックボード15の裏面側に突出するように端子31を挿入し、はんだ付けしている。
【００６２】
また、フレームアース導通パターン22の端末にスルーホールを設け、このスルーホールに先端がバックボード15の裏面側に突出するように他の端子32を挿入し、はんだ付けしている。
【００６３】
そして、短絡板35により外部導体導通パターン21とフレームアース導通パターン22間を接続するようにしている。
また、バックボード15の裏面側に設けるオン・オフ切替手段30は、バックボード15に搭載したスライドスイッチ, ロータリスイッチ或いはトグルスイッチであっても良い。
【００６４】
図５は、装置側同軸コネクタ５をプリント配線板10の前側縁近傍に搭載した他の実施例であって、シェルフ11を搭載する架20と、バックボード15の裏面に設けた外部導体導通パターン21とを、オン・オフ切替手段60により、シェルフ11の後部で接続・開放自在に切替え自在としたものである。
【００６５】
プリント配線板10の前側縁近傍に搭載した装置側同軸コネクタ５の外部導体は、コネクタホルダ９，プリント配線板10に形成した外部導体導通パターン91，プリント板コネクタ12のピン，バックボードコネクタ16の接触子を経て外部導体導通パターン21に接続している。
【００６６】
レームアース導通パターン22の端末にスルーホールを設け、このスルーホールに先端がバックボード15の裏面側に突出するように端子61を挿入し、はんだ付けしている。
【００６７】
一方、架20に一端をはんだ付け等して被覆した導線62を接続している。
63は、一方の端部が花弁状に開口した、弾性ある銅系金属よりなるスリーブであって、スリーブ63の他方の端末を、導線62の端末にはんだ付け等して接続されている。
【００６８】
このようなオン・オフ切替手段60のスリーブ63を、バックボード15に垂設した端子61に挿着すると、装置側同軸コネクタ５の外部導体を架20に接続することができる。
【００６９】
図６に、ケーブル側同軸コネクタ２と装置側同軸コネクタ５間で、フレームアースを切替える構造を示す。
図６において201 は、ケーブル側同軸コネクタ２の中心導体、202 は、ケーブル側コネクタ中心導体201 とケーブル側コネクタ外部導体205 との間に介在するリング状のケーブル側コネクタ絶縁体である。
【００７０】
円筒形のケーブル側コネクタ外部導体205 は、半径方向に突出した、軸心に平行する帯状の一対の外部導体突部205Aを設けてある。
501 は、装置側同軸コネクタ５の割り形スリーブ状の中心導体であって、その軸孔にケーブル側コネクタ中心導体201 が嵌入することで、ケーブル側コネクタ中心導体201 と装置側コネクタ中心導体501 とが接続する。
【００７１】
502 は、装置側コネクタ中心導体501 と装置側コネクタ外部導体505 との間に介在するリング状の装置側コネクタ絶縁体である。
装置側コネクタ絶縁体502 は、ケーブル側同軸コネクタ２に結合する開口部分が、ケーブル側コネクタ外部導体205 が嵌入する中空孔を有し、且つ半円筒形にに２分割されている。
【００７２】
装置側コネクタ外部導体505 は、装置側コネクタ絶縁体502 の外周面を取り囲む円筒状であって、装置側コネクタ絶縁体502 が半円筒形に分割された間に嵌入する帯状の突部（直径方向に対向する一対の突部）を有する。
【００７３】
この装置側コネクタ外部導体505 の突部のそれぞれに、ケーブル側同軸コネクタ２の外部導体突部205Aが嵌入し接触する、帯状の外部導体凹部505Aを設けてある。一方装置側コネクタ絶縁体502 には、この外部導体凹部505Aに直交して、ケーブル側同軸コネクタ２の外部導体突部205Aが嵌入する帯状の外部絶縁体凹部502Aを設けてある。
【００７４】
したがって、外部導体突部205Aが装置側同軸コネクタ５の外部導体凹部505Aに嵌入するような角度で、ケーブル側同軸コネクタ２を装置側同軸コネクタ５に挿着すると、ケーブル側同軸コネクタ２の外部導体と装置側同軸コネクタ５の外部導体とが接続し、且つケーブル側コネクタ中心導体201 と装置側コネクタ中心導体501 とが接続する。。
【００７５】
また、ケーブル側同軸コネクタ２の挿着角度を変えて、外部導体突部205Aが装置側同軸コネクタ５の装置側コネクタ絶縁体502 の外部絶縁体凹部502Aに嵌入するようにケーブル側同軸コネクタ２を装置側同軸コネクタ５に挿着すると、ケーブル側同軸コネクタ２の外部導体と装置側同軸コネクタ５の外部導体とが断の状態で、ケーブル側コネクタ中心導体201 と装置側コネクタ中心導体501 とが接続する。
【００７６】
図６に図示した同軸コネクタのフレームアース切替構造は、バックボードの裏面側に搭載した装置側同軸コネクタに適用できる。また、プリント配線板の前側縁近傍に搭載した装置側同軸コネクタにも適用できる。
【００７７】
なお、この際、バックボードの裏面側に搭載した装置側同軸コネクタ５の外部導体は、プリント板コネクタに設けたフレームアース導通パターン，バックボードの内面側の外周部に設けた枠形アースパターを介して、シェルフに接続されたものである。
【００７８】
一方、プリント配線板の前側縁近傍に搭載した装置側同軸コネクタ５の外部導体は、コネクタホルダ，プリント配線板に形成した外部導体導通パターン，プリント板コネクタのピン，バックボードコネクタの接触子，バックボードのフレームアース導通パターン，バックボードの内面側の外周部に設けた枠形アースパターを介して、シェルフに接続されたものである。
【００７９】
【発明の効果】
本発明は、以上のように構成されているので、以下に記載されるような効果を奏する。
【００８２】
装置側同軸コネクタに嵌合するケーブル側同軸コネクタの挿着角度により、ケーブル側同軸コネクタの外部導体と装置側同軸コネクタの外部導体とが接続・又は断となる本発明によれば、プリント配線板をシェルフから抜去することなく、ケーブル側同軸コネクタの挿着角度のみにより、同軸コネクタの外部導体とフレームアースとを、接続又は開放することができるとともに、現時点の状態が接続状態か、開放状態かを目視で確認できる。
【００８３】
同軸コネクタのフレームアース切替操作が極めて簡単である。
【図面の簡単な説明】
【図１】本発明の第１の実施例の図である。
【図２】第２の実施例の図である。
【図３】第３の実施例の図である。
【図４】第４の実施例の図である。
【図５】第５の実施例の図である。
【図６】第６の実施例の断面図で、
(A) はオン状態を示す図、(B) はオフ状態を示す図である。
【図７】電子装置の構成図である。
【図８】従来例の図である。
【符号の説明】
１  同軸ケーブル
２  ケーブル側同軸コネクタ
５  装置側同軸コネクタ
９  コネクタホルダ
10  プリント配線板
11  シェルフ
12  プリント板コネクタ
15  バックボード
16  バックボードコネクタ
20  架
30,40,50,60,800   オン・オフ切替手段
21,91   外部導体導通パターン
22  フレームアース導通パターン
25  コネクタピン
26  フレームアース導通ピン
31,32,41,61   端子
35  短絡板
42,62   導線
43,63   スリーブ
201   ケーブル側コネクタ中心導体
202   ケーブル側コネクタ絶縁体
205   ケーブル側コネクタ外部導体
205A  外部導体突部
501   装置側コネクタ中心導体
502   装置側コネクタ絶縁体
502A  外部絶縁体凹部
505   装置側コネクタ外部導体
505A  外部導体凹部
100,110   電子装置
【図１】
0003543425.tif 000002
【図２】
0003543425.tif 000003
【図３】
0003543425.tif 000004
【図４】
0003543425.tif 000005
【図５】
0003543425.tif 000006
【図６】
0003543425.tif 000007
【図７】
0003543425.tif 000008
【図８】
0003543425.tif 000009